(57)【特許請求の範囲】
【請求項１】
一部のレンズを光軸方向に移動させて拡大観察状態と通常観察状態とを切替可能な観察光学系と、
被写体に照明光を照射する複数の照明光学系とを備え、
該照明光学系の少なくとも１つの最先端のレンズ面が、前記観察光学系の最先端のレンズ面よりも基端側に配置され、以下の条件式を満足する内視鏡。
０．０３＜Ｄ＿Ｂａｃｋ(max)／ｆｔ＜２        （１）
１．０５＜ｆｔ／ｆｗ＜５                      （２）
ここで、
Ｄ＿Ｂａｃｋ(max)は、前記照明光学系の最先端のレンズ面と前記観察光学系の最先端のレンズ面との距離の最大値（ｍｍ）、
ｆｔは拡大観察状態における前記観察光学系の焦点距離（ｍｍ）、
ｆｗは通常観察状態における前記観察光学系の焦点距離（ｍｍ）
である。
【請求項２】
以下の条件式を満足する請求項１に記載の内視鏡。
０．０１＜Ｄ＿Ｂａｃｋ(ave)／ｆｔ＜１．０      （３）
ここで、
Ｄ＿Ｂａｃｋ(ave)は、全ての前記照明光学系の最先端のレンズ面と前記観察光学系の最先端のレンズ面との距離の平均値（ｍｍ）である。
【請求項３】
以下の条件式を満足する請求項１に記載の内視鏡。
０．０２＜Ｄ＿Ｂａｃｋ(max)／２×tan(w(t))＜１．０  （４）
−０．０３＞Ｄ＿Ｂａｃｋ(max)／ＦＬ＿Ｌ０１＞−１．０  （５）
ここで、
ｗ（ｔ）は拡大観察状態における前記観察光学系の画角、
ＦＬ＿Ｌ０１は前記観察光学系の最先端のレンズの焦点距離（ｍｍ）である。
【請求項４】
以下の条件式を満足する請求項３に記載の内視鏡。
０．０１＜Ｄ＿Ｂａｃｋ(ave)／２×tan(w(t))＜５．０  （６）
−０．０３＞Ｄ＿Ｂａｃｋ(ave)／ＦＬ＿Ｌ０１＞−１．０  （７）
ここで、
Ｄ＿Ｂａｃｋ(ave)は、全ての前記照明光学系の最先端のレンズ面と前記観察光学系の最先端のレンズ面との距離の平均値（ｍｍ）である。
【発明の詳細な説明】
【技術分野】
【０００１】
本発明は、内視鏡に関する。
【背景技術】
【０００２】
従来、内視鏡の近接拡大観察時の照明ムラを抑えることを目的として、複数の照明窓から射出される照明光が重なり合う範囲内にベストピント位置の可変範囲を設定した内視鏡が知られている（例えば、特許文献１参照。）。
【先行技術文献】
【特許文献】
【０００３】
【特許文献１】特開２００１−３４６７５２号公報
【発明の概要】
【発明が解決しようとする課題】
【０００４】
しかしながら、近接拡大時の被写界深度を確保するために近接拡大時の半画角を４０°以上にする場合には、広範囲の被写体を撮影するため配光ムラが発生し易い。特に、近接拡大可能な内視鏡では、近接拡大観察時に照明光学系の先端と被写体との距離が２ｍｍ程度と非常に近づくため配光ムラが生じ易い。配光ムラが発生すると、観察性及び処置性が著しく悪化するため、術者のストレスになるだけでなく、処置時間が長くなってしまう。【０００５】
本発明は、上述した事情に鑑みてなされたものであって、近接拡大観察時の半画角が４０°以上の広角観察時においても配光ムラを軽減して処置を容易にすることができる内視鏡を提供することを目的としている。
【課題を解決するための手段】
【０００６】
上記目的を達成するために、本発明は以下の手段を提供する。
本発明の一態様は、一部のレンズを光軸方向に移動させて拡大観察状態と通常観察状態とを切替可能な観察光学系と、被写体に照明光を照射する複数の照明光学系とを備え、該照明光学系の少なくとも１つの最先端のレンズ面が、前記観察光学系の最先端のレンズ面よりも基端側に配置され、以下の条件式を満足する内視鏡である。
０．０３＜Ｄ＿Ｂａｃｋ(max)／ｆｔ＜２            （１）
１．０５＜ｆｔ／ｆｗ＜５                        （２）
ここで、Ｄ＿Ｂａｃｋ(max)は、前記照明光学系の最先端のレンズ面と前記観察光学系の最先端のレンズ面との距離の最大値、ｆｔは前記観察光学系の拡大観察状態における焦点距離、ｆｗは前記観察光学系の通常観察状態における焦点距離である。
【０００７】
一般的な拡大内視鏡においては、良好な観察を行うことができる観察光学系の最先端のレンズ面と被写体との距離は２〜３ｍｍ程度と設定されている。
本態様によれば、観察光学系の最先端のレンズ面に対して照明光学系の最先端のレンズ面が奥まった位置に配置されているため、観察光学系と照明光学系が同じ高さで配置されている従来の場合と比較して配光ムラの発生を抑えることができる。【０００８】
式（１）は照明光学系が観察光学系よりも被写体側から撮像素子側へ奥まって配置されていることを表しており、式（１）の範囲内であれば、拡大観察時でも良好な配光を得ることができる。式（１）の下限を下回ると、観察光学系に対して照明光学系の奥まりが足りずに配光ムラが発生し、上限を超えると奥まりすぎるために照明光学系から射出される照明光が観察光学系等によって蹴られることがあり良好な配光を得ることができなくなる。【０００９】
また、式（２）は拡大内視鏡の変倍比を表しており、式（２）の下限を下回ると拡大観察が困難になり、上限を超えると変倍比が大きくなりすぎて、観察光学系が径方向に肥大化してしまい、内視鏡の先端部を細径に構成することが困難になって挿入性が低下することになる。【００１０】
上記態様においては、以下の条件式を満足することが好ましい。
０．０１＜Ｄ＿Ｂａｃｋ(ave)／ｆｔ＜１．０            （３）
ここで、Ｄ＿Ｂａｃｋ(ave)は、全ての前記照明光学系の最先端のレンズ面と前記観察光学系の最先端のレンズ面との距離の平均値である。
このようにすることで、複数の照明光学系から射出された照明光の足し合わせとして形成される配光を拡大観察時においても良好にすることができる。【００１１】
また、上記態様においては、以下の条件式を満足することが好ましい。
０．０２＜Ｄ＿Ｂａｃｋ(max)／２×tan(w(t))＜１．０      （４）
−０．０３＞Ｄ＿Ｂａｃｋ(max)／ＦＬ＿Ｌ０１＞−１．０    （５）
ここで、ｗ（ｔ）は前記観察光学系の拡大観察状態における画角、ＦＬ＿Ｌ０１は前記観察光学系の最先端のレンズの焦点距離である。
【００１２】
式（４）は、観察光学系の最先端のレンズ面から被写体までの距離が２ｍｍである場合の、観察光学系の視野範囲と、観察光学系に対する照明光学系の奥まりとの比率を示している。式（４）の下限を下回る場合には奥まりの最大値が小さすぎて配光を改善できず、上限を超える場合には視野範囲が小さいために観察光学系に対して照明光学系を奥まって配置する必要がなくなる。【００１３】
また、式（５）は、観察光学系の最先端のレンズの焦点距離と観察光学系に対する照明光学系の奥まりとの比率を示している。式（５）の下限を下回る場合には奥まり量が小さすぎるため配光を改善できず、上限を超える場合には観察光学系の最先端のレンズの負の焦点距離が小さ過ぎるため、画角が広くなり過ぎて配光が悪化することになる。【００１４】
また、上記態様においては、以下の条件式を満足することが好ましい。
０．０１＜Ｄ＿Ｂａｃｋ(ave)／２×tan(w(t))＜５．０      （６）
−０．０３＞Ｄ＿Ｂａｃｋ(ave)／ＦＬ＿Ｌ０１＞−１．０    （７）
このようにすることで、複数の照明光学系から射出された照明光の足し合わせとして形成される配光を拡大観察時においても良好にすることができる。【００１５】
また、上記態様においては、前記観察光学系の最先端のレンズ面と全ての前記照明光学系の最先端のレンズ面が略平行であってもよい。
このようにすることで、通常観察状態から拡大観察状態にわたり、画角の中心から周辺にかけて均一な配光を得ることができる。
【発明の効果】
【００１６】
本発明によれば、近接拡大観察時の半画角が４０°以上の広角観察時においても配光ムラを軽減して処置を容易にすることができるという効果を奏する。
【図面の簡単な説明】
【００１７】
【図１】本発明の一実施形態に係る内視鏡を示す先端部の縦断面図である。
【図２】図１の内視鏡の正面図である。
【発明を実施するための形態】
【００１８】
本発明の一実施形態に係る内視鏡１について、図面を参照して以下に説明する。
本実施形態に係る内視鏡１は、図１および図２に示されるように、挿入部２の先端部に観察光学系３と複数の照明光学系４とを備えている。図中、符号５は鉗子チャネルである。
【００１９】
観察光学系３は、光軸方向に配列された複数のレンズを備えており、その内の一部のレンズが光軸方向に移動可能に設けられることによって倍率を変更し、拡大観察と通常観察とを切替可能に構成されている。
さらに具体的には、観察光学系３は、被写体（物体）側から順に、正の第１レンズ群３ａ、明るさ絞り３ｂ、第２レンズ群３ｃ、正の第３レンズ群３ｄから構成され、第２レンズ群３ｃを光軸方向に移動することによって拡大観察状態と通常観察状態とを切り替えるようになっている。
【００２０】
照明光学系４は、図２に示す例では、観察光学系３の周囲に周方向に間隔をあけて３カ所に設けられており、光源からの光を導光する光ファイババンドル４ａと、該光ファイババンドル４ａの射出端に配置された３つのレンズ４ｂ〜４ｄとを備えている。
【００２１】
観察光学系３と複数の照明光学系４とは、相互に略平行な光軸を有し、最先端のレンズ面（第１レンズ面）３ｅ，４ｅどうしは略平行に配置されている。
３つの照明光学系３の最先端のレンズ面（第１レンズ面）４ｅは、観察光学系３の最先端のレンズ面（第１レンズ面）３ｅに対して光軸方向に一段低い位置に配置されている。ここでは、２つの第１レンズ面３ｅ，４ｅ間の段差を奥まり量Ｄ＿Ｂａｃｋと言うことにする。
【００２２】
また、本実施形態においては、以下の条件式（１）〜（７）を満足している。
０．０３＜Ｄ＿Ｂａｃｋ(max)／ｆｔ＜２                    （１）
１．０５＜ｆｔ／ｆｗ＜５                                  （２）
０．０１＜Ｄ＿Ｂａｃｋ(ave)／ｆｔ＜１．０                （３）
０．０２＜Ｄ＿Ｂａｃｋ(max)／２×tan(w(t))＜１．０        （４）
−０．０３＞Ｄ＿Ｂａｃｋ(max)／ＦＬ＿Ｌ０１＞−１．０    （５）
０．０１＜Ｄ＿Ｂａｃｋ(ave)／２×tan(w(t))＜５．０        （６）
−０．０３＞Ｄ＿Ｂａｃｋ(ave)／ＦＬ＿Ｌ０１＞−１．０    （７）
【００２３】
ここで、Ｄ＿Ｂａｃｋ(max)は奥まり量の最大値、Ｄ＿Ｂａｃｋ(ave)は全ての照明光学系４の第１レンズ面４ｅと観察光学系３の第１レンズ面３ｅとの距離の平均値、ｆｔは拡大観察状態における観察光学系３の焦点距離、ｆｗは通常観察状態における観察光学系３の焦点距離、ｗ（ｔ）は拡大観察状態における観察光学系３の画角、ＦＬ＿Ｌ０１は観察光学系３の最先端のレンズの焦点距離である。
【００２４】
一般的な拡大内視鏡においては、良好な観察を行うことができる観察光学系３の最先端のレンズ面３ｅと被写体との距離は２〜３ｍｍ程度と設定される。本実施形態に係る内視鏡１によれば、観察光学系３の第１レンズ面３ｅに対して照明光学系４の第１レンズ面４ｅが被写体から離れた位置に奥まって配置されているため、観察光学系３と照明光学系４とが同じ高さで配置されている場合と比較して配光ムラの発生を抑えることができる。
【００２５】
式（１）の下限を下回ると、観察光学系３に対して照明光学系４の奥まり量が足りずに配光ムラが発生し、上限を超えると奥まり過ぎるために照明光学系４から射出される照明光が観察光学系３等によって蹴られることがあり良好な配光を得ることができなくなる。
また、式（２）の下限を下回ると拡大観察が困難になり、上限を超えると変倍比が大きくなりすぎて、観察光学系３が径方向に肥大化してしまい、内視鏡１の挿入部２の先端を細径に構成することが困難になって挿入性が低下することになる。
【００２６】
式（４）は、観察光学系３の最先端のレンズ面３ｅから被写体までの距離が２ｍｍである場合の、観察光学系３の視野範囲と、観察光学系３に対する照明光学系４の奥まり量との比率を示している。式（４）の下限を下回る場合には奥まりの最大値が小さすぎて配光を改善できず、上限を超える場合には視野範囲が小さいために観察光学系３に対して照明光学系４を奥まって配置する必要がなくなる。
【００２７】
また、式（５）は、観察光学系４の最先端のレンズの焦点距離と観察光学系３に対する照明光学系４の奥まり量との比率を示している。式（５）の下限を下回る場合には奥まり量が小さすぎるため配光を改善できず、上限を超える場合には観察光学系３の最先端のレンズの負の焦点距離が小さ過ぎるため、画角が広くなり過ぎて配光が悪化することになる。
【００２８】
また、内視鏡１は一般には複数の照明光学系４を搭載しており、複数の照明光学系４から射出される照明光の足し合わせが内視鏡１の配光となるので、配光には、観察光学系３に対する照明光学系４の奥まり量の最大値のみならず平均値も重要な要因となる。式（３）、（６）、（７）は、式（１）、（４）、（５）の深まり量の最大値を、平均値に置き換えた場合の条件式である。
【００２９】
本実施形態によれば、式（１）、（２）の条件を満たしているので、内視鏡１の挿入部２の太径化を防止しつつ、近接拡大観察時の配光ムラを軽減することができるという利点がある。また、式（４）、（５）の条件を満たしているので、拡大観察時に画角が大きくなっても配光ムラの発生を抑制することができるという利点がある。さらに、式（３）、（６）、（７）の条件を満たしているので、複数の照明光学系４から射出された照明光の足し合わせとして形成される配光を拡大観察時においても良好にすることができるという利点がある。
【００３０】
なお、本実施形態においては式（１）〜（７）の条件を満足することとしたが、以下の式（１）’〜（７）’の条件を満足することが好ましい。
０．０４＜Ｄ＿Ｂａｃｋ(max)／ｆｔ＜１                    （１）’
１．０７＜ｆｔ／ｆｗ＜３                                （２）’
０．０２＜Ｄ＿Ｂａｃｋ(ave)／ｆｔ＜０．５                （３）’
０．０３＜Ｄ＿Ｂａｃｋ(max)／２×tan(w(t))＜０．５       （４）’
−０．０４＞Ｄ＿Ｂａｃｋ(max)／ＦＬ＿Ｌ０１＞−０．５    （５）’
０．０１５＜Ｄ＿Ｂａｃｋ(ave)／２×tan(w(t))＜３．０    （６）’
−０．０４＞Ｄ＿Ｂａｃｋ(ave)／ＦＬ＿Ｌ０１＞−０．５    （７）’
【００３１】
また、以下の式（１）”〜（７）”の条件を満足することがさらに好ましい。
０．０５＜Ｄ＿Ｂａｃｋ(max)／ｆｔ＜０．２５              （１）”
１．１０＜ｆｔ／ｆｗ＜１．５                              （２）”
０．０３＜Ｄ＿Ｂａｃｋ(ave)／ｆｔ＜０．３                （３）”
０．０４＜Ｄ＿Ｂａｃｋ(max)／２×tan(w(t))＜０．２        （４）”
−０．０５＞Ｄ＿Ｂａｃｋ(max)／ＦＬ＿Ｌ０１＞−０．３    （５）”
０．０２＜Ｄ＿Ｂａｃｋ(ave)／２×tan(w(t))＜１．０      （６）”
−０．０５＞Ｄ＿Ｂａｃｋ(ave)／ＦＬ＿Ｌ０１＞−０．３    （７）”
【００３２】
次に、本実施形態に係る内視鏡１の実施例について説明する。
第１の実施例は、３つの照明光学系４の奥まり量が０．２ｍｍ，０．３ｍｍ，０．４ｍｍの場合である。
また、第２の実施例は、３つの照明光学系４の奥まり量が０．３ｍｍ，０．３ｍｍ，０．３ｍｍの場合である。
【００３３】
これらの場合の各定数の値と式（１）〜（７）の値を表１に示す。
【表１】
0005953444.tif 000002
これらの実施例によれば、式（１）〜（７）の条件が満たされていることがわかる。
【符号の説明】
【００３４】
１  内視鏡
３  観察光学系
３ｃ  レンズ
３ｅ，４ｅ  第１レンズ面（最先端のレンズ面）
４  照明光学系
【図１】
0005953444.tif 000003
【図２】
0005953444.tif 000004